(57)【要約】      （修正有）【課題】タッチパネルを備える表示装置において、ヘルプ情報表示方法の操作性を向上させることで誤操作を防止する。【解決手段】画面の所定の部位に表示する１以上のボタンへの押下継続時間を計測する押下継続時間計測ステップＳ２１２を有し、ボタンのいずれかへの押下検出Ｓ２０１から、予め定められた短時間が経過しても、当該ボタンへの押下された状態が継続している場合Ｓ２１２ＹＥＳに、当該ボタンに係るヘルプ情報を表示Ｓ２１３し、前記ヘルプ情報を表示した後に、当該ボタンへの押下された状態を検出しなくなった場合Ｓ２１４ＹＥＳに、前記ヘルプ情報表示を消去するＳ２１５と共に、当該ボタンに割り当てられた所定の処理を実行Ｓ２１６する。【選択図】図２
2016207137.tif 000002
【特許請求の範囲】
【請求項１】
タッチパネルを備える表示装置における画面の所定の部位に表示する１以上のボタンに係るヘルプ情報表示方法であって、
前記ボタンの各々に係るヘルプ情報を予め記憶しておくヘルプ情報記憶ステップと、
前記ボタンのいずれかが押下されたか否かを検出する押下検出ステップと、前記検出したボタンへの押下継続時間を計測する押下継続時間計測ステップと、前記押下されたボタンに割り当てられた所定の処理を実行する処理実行ステップと、を有し、
前記押下検出ステップがボタンのいずれかへの押下を検出し、予め定められた短時間以内に当該ボタンへの押下された状態を検出しなくなった場合に、前記処理実行ステップは当該ボタンに割り当てられた所定の処理を実行し、
前記押下検出ステップがボタンのいずれかへの押下を検出し、前記予め定められた短時間が経過しても、当該ボタンへの押下された状態が継続している場合に、前記ヘルプ情報記憶ステップに記憶されている当該ボタンに係るヘルプ情報を表示し、
前記ヘルプ情報を表示した後に、当該ボタンへの押下された状態を検出しなくなった場合に、前記ヘルプ情報表示を消去すると共に、前記処理実行ステップは当該ボタンに割り当てられた所定の処理を実行することを特徴とするヘルプ情報表示方法。
【請求項２】
請求項１に記載のヘルプ情報表示方法において、
前記ヘルプ情報を表示した後に、前記ボタンへの押下された部位において、予め定められた距離以上の移動を検出すると共に、その後前記ボタンへの押下された状態を検出しなくなった場合に、前記ヘルプ情報表示を消去すると共に、その後当該ボタンに割り当てられた所定の処理を実行しないことを特徴とするヘルプ情報表示方法。
【請求項３】
請求項１に記載のヘルプ情報表示方法において、
前記ヘルプ情報を表示した後に、前記押下されたボタン以外の所定の他部位への押下を検出すると共に、当該ボタンへの押下された状態を検出しなくなった場合に、前記ヘルプ情報表示を消去すると共に、その後当該ボタンに割り当てられた所定の処理を実行しないことを特徴とするヘルプ情報表示方法。 
【発明の詳細な説明】
【技術分野】
【０００１】
本発明は、タッチパネルを備える表示装置の表示方法に関し、特にヘルプ情報の表示方法に係る。
【背景技術】
【０００２】
所定のシステム（またはアプリケーション）を処理中に、当該システムの操作方法や機能に係る説明を表示する機能として、「ヘルプ機能」がある。「ヘルプ機能」の情報（以下、ヘルプ情報）を表示する方法として、表示装置に表示されたボタン上にマウスオーバすると、当該ボタンに係るヘルプ情報を表示する方法がある。
【０００３】
前記方法は、マウスオーバすることで当該ボタンに割り当てられたヘルプ情報が表示されるのでユーザはボタンとヘルプ情報の相関関係がわかりやすくなるという効果がある。しかし、マウスを使用しないタッチパネルを備える表示装置では、マウスオーバができない。
【０００４】
これを解決する技術として例えば、特許文献１には、マウスを使用しないタッチパネルを備える表示装置において、表示装置に表示されたボタンを押下する場合、押下の強度を検出し、押下された強度によって、当該ボタンに予め割り当てられた処理を実行する技術がある。
【０００５】
しかしながら、特許文献１の技術は、ユーザの所望するボタンに係るヘルプ情報を表示する操作と、その後の当該ボタンに割り当てられた所定の処理を実行する操作の、双方の操作で当該ボタンを押下する必要があるため、押し間違いによる誤操作が発生してしまう場合があるといった問題がある。
【先行技術文献】
【特許文献】
【０００６】
【特許文献１】特開２０１５−２８８０７号公報
【発明の概要】
【発明が解決しようとする課題】
【０００７】
本発明は、上記問題に鑑みて為されたものであり、その課題は、タッチパネルを備える表示装置において、ヘルプ情報を表示した際の操作性を向上させることにある。
【課題を解決するための手段】
【０００８】
前記課題を解決するために、本発明は、タッチパネルを備える表示装置における画面の所定の部位に表示する１以上のボタンに係るヘルプ情報表示方法であって、前記ボタンの各々に係るヘルプ情報を予め記憶しておくヘルプ情報記憶ステップと、前記ボタンのいずれかが押下されたか否かを検出する押下検出ステップと、前記検出したボタンへの押下継続時間を計測する押下継続時間計測ステップと、前記押下されたボタンに割り当てられた所定の処理を実行する処理実行ステップと、を有し、前記押下検出ステップがボタンのいずれかへの押下を検出し、予め定められた短時間以内に当該ボタンへの押下された状態を検出しなくなった場合に、前記処理実行ステップは当該ボタンに割り当てられた所定の処理を実行し、前記押下検出ステップがボタンのいずれかへの押下を検出し、前記予め定められた短時間が経過しても、当該ボタンへの押下された状態が継続している場合に、前記ヘルプ情報記憶ステップに記憶されている当該ボタンに係るヘルプ情報を表示し、前記ヘルプ情報を表示した後に、当該ボタンへの押下された状態を検出しなくなった場合に、前記ヘルプ情報表示を消去すると共に、前記処理実行ステップは当該ボタンに割り当てられた所定の処理を実行することを特徴とする。
【発明の効果】
【０００９】
本発明によれば、タッチパネルを備える表示装置は、所定のボタンが押下された状態を検出し所定時間経過すると、当該ボタンに係るヘルプ情報を表示し、当該ボタンが押下された状態を検出しなくなった場合に、当該ボタンに割り当てられた所定の処理を実行する。これにより、ユーザは、簡単な操作でヘルプ情報の表示から処理の実行まででき、誤操作を防止できるという効果がある。
【図面の簡単な説明】
【００１０】
【図１】本発明の実施形態における表示装置の機能ブロック図である。
【図２】本発明の実施形態による表示装置の動作フローチャートである。
【図３】本発明の実施形態によるヘルプ情報を表示する際の操作イメージである。
【発明を実施するための形態】
【００１１】
以下、本発明の実施形態について、図面を用いて説明する。
【００１２】
図１は、本発明の実施形態における表示装置の機能ブロック図である。
【００１３】
図１に示すように、本発明による表示装置１（以下、本装置１）は、タッチパネル部１０１、端末制御部１０２、無線通信部１０３、押下継続時間計測部１１１、ヘルプ情報表示部１１２、ヘルプ情報記憶部１１３を有している。
【００１４】
タッチパネル部１０１は、ディスプレイとタッチセンサーを有する入出力装置であり、押下されたボタン情報と、押下終了したボタン情報を端末制御部１０２に通知する。
【００１５】
端末制御部１０２は、タッチパネル部１０１から通知される押下されたボタン情報により、押下継続時間計測部１１１に押下継続時間の計測開始要求を行い、その後、タッチパネル部１０１から通知される押下終了したボタン情報により、押下継続時間計測部１１１に押下継続時間の計測終了要求を行い当該ボタンの処理実行、または、押下継続時間計測部１１１から通知される指定時間経過通知により、ヘルプ情報表示部１１２に押下されたボタン情報を含めたヘルプ情報表示要求を行う。また、端末制御部１０２は、当該ボタンの処理実行時にディスプレイ表示の変更が必要な場合は、タッチパネル部１０１にディスプレイ表示変更要求を行う。
【００１６】
無線通信部１０３は、無線ＬＡＮによる情報の通信制御を行う。
【００１７】
押下継続時間計測部１１１は、端末制御部１０２から要求される計測開始要求により、押下継続時間計測用のタイマを起動し、予め定められた短時間が経過した場合に、端末制御部１０２に指定時間経過通知を行う。また、端末制御部１０２から要求される計測終了要求により、当該タイマを停止する。
【００１８】
ヘルプ情報表示部１１２は、端末制御部１０２から要求される押下されたボタン情報を含めたヘルプ情報表示要求により、ヘルプ情報記憶部１１３から当該ボタンに係るヘルプ情報を抽出し、タッチパネル部１０１にヘルプ情報の表示要求を行う。
【００１９】
ヘルプ情報記憶部１１３は、ボタンの各々に係るヘルプ情報を予め記憶しておく記憶部である。
【００２０】
図２は、本発明の実施形態による表示装置の動作フローチャートである。
【００２１】
以下、図１も併用して本装置１の動作フローチャートについて説明する。本フローチャートは、電源が投入された状態でスタートする（Ｓ２００）。
【００２２】
本装置１は、電源が投入されると、ユーザによるボタン押下を検出する（Ｓ２０１）、または、ボタン以外の部位の操作（例えば、スクロールバーの押下など）を検出する（Ｓ２０２）のいずれかの状態になるのを待つ。
ボタン以外の部位の操作を検出した場合（Ｓ２０２、ＹＥＳ）、本装置１は、操作に応じた処理を実行し（Ｓ２０３）、ステップ２０１へ戻る。
【００２３】
ユーザによるボタン押下を検出すると（Ｓ２０１、ＹＥＳ）、本装置１は、ユーザによるボタン押下の終了を検出する（Ｓ２１１）、または、ユーザによるボタン押下の検出から予め定められた短時間が経過する（Ｓ２１２）のいずれかの状態になるのを待つ。
【００２４】
ユーザによるボタン押下の終了を検出した場合（Ｓ２１１、ＹＥＳ）、本装置１は、当該ボタンの処理を実行し（Ｓ２１６）、ステップ２０１へ戻る。
【００２５】
ユーザによるボタン押下の検出から予め定められた短時間が経過した場合（Ｓ２１２、ＹＥＳ）、本装置１は、当該ボタンのヘルプ情報を表示し（Ｓ２１３）、ユーザによるボタン押下の終了を検出する（Ｓ２１４）、または、ユーザによるキャンセル操作を検出する（Ｓ２２１）のいずれかの状態になるのを待つ。
【００２６】
ステップ２２１において、本装置１は、最初にユーザによるボタン押下を検出した座標情報と、ユーザによるボタン押下の終了を検出した座標情報を比較し、予め定められた距離以上の移動があれば、キャンセル操作と判断する。なお、当該ユーザにより押下されたボタン以外の所定の他部位に表示しているキャンセルボタンへの押下を、本装置１がキャンセル操作と判断する条件であっても良い。
【００２７】
ユーザによるボタン押下の終了を検出した場合（Ｓ２１４、ＹＥＳ）、本装置１は、当該ボタンのヘルプ情報表示を消去し（Ｓ２１５）、当該ボタンの処理を実行し（Ｓ２１６）、ステップ２０１へ戻る。
【００２８】
ユーザによるキャンセル操作を検出した場合（Ｓ２２１、ＹＥＳ）、本装置１は、当該ボタンのヘルプ情報表示を消去し（Ｓ２２２）、ステップ２０１へ戻る。
【００２９】
図３は、本発明の実施形態によるヘルプ情報を表示する際の操作イメージである。
【００３０】
操作イメージ３０１は、ユーザがディスプレイに表示されたボタンを押下している画面である。ユーザがボタンへの押下を予め定められた短時間継続することで、本装置１はユーザに押下されたボタンのヘルプ情報をディスプレイに表示し、操作イメージ３０２となる。
【００３１】
操作イメージ３０２において、ユーザが押下を終了することで、本装置１はユーザに押下されたボタンのヘルプ情報を消去し、ボタンに割り当てられた処理を実行し、操作イメージ３０３となる。
【００３２】
操作イメージ３０２において、ユーザがキャンセル操作をすることで、本装置１はユーザに押下されたボタンのヘルプ情報を消去し、操作イメージ３０４となる。
【００３３】
以上、本発明の実施形態について、説明した。
【００３４】
本発明の実施形態では、本装置１は、ユーザによるボタン押下を検出し、ユーザによるボタン押下の検出から予め定められた短時間が経過すると、当該ボタンのヘルプ情報を表示する。その後、本装置１は、ユーザによるボタン押下の終了を検出することで、当該ボタンのヘルプ情報表示を消去し、当該ボタンの処理を実行する。これにより、本装置１のユーザは、簡単な操作でヘルプ情報の表示から処理の実行まででき、誤操作を防止できるという効果がある。
【００３５】
また、本発明の実施形態では、本装置１は、ユーザによるボタン押下を検出し、ユーザによるボタン押下の検出から予め定められた短時間が経過すると、当該ボタンのヘルプ情報を表示する。その後、本装置１は、ユーザによるボタン押下の終了を検出した時に、最初にユーザによるボタン押下を検出した座標情報と、ユーザによるボタン押下の終了を検出した座標情報を比較し、予め定められた距離以上の移動があれば、キャンセル操作と判断し、当該ボタンのヘルプ情報表示を消去する。これにより、本装置１のユーザは、ヘルプ情報を表示した後に、処理の実行をキャンセルでき、操作性が向上するという効果がある。
【００３６】
また、本発明の実施形態では、本装置１は、ユーザによるボタン押下を検出し、ユーザによるボタン押下の検出から予め定められた短時間が経過すると、当該ボタンのヘルプ情報を表示する。その後、本装置１は、当該ユーザにより押下されたボタン以外の所定の他部位に表示しているキャンセルボタンへの押下があれば、キャンセル操作と判断し、当該ボタンのヘルプ情報表示を消去する。これにより、本装置１のユーザは、ヘルプ情報を表示した後に、処理の実行をキャンセルでき、操作性が向上するという効果がある。
【符号の説明】
【００３７】
１：タッチパネルを備える表示装置、１０１：タッチパネル部、１０２：端末制御部、１０３：無線通信部、１１１：押下継続時間計測部、１１２：ヘルプ情報表示部、１１３：ヘルプ情報記憶部。
【図１】
2016207137.tif 000003
【図２】
2016207137.tif 000004
【図３】
2016207137.tif 000005